(57)【特許請求の範囲】
【請求項１】
第１の記録装置および前記第１の記録装置の後段に接続された第２の記録装置を含む複数の記録装置を有する記録システムにおいて、
前記第２の記録装置は、前記第１の記録装置の記録できる容量がなくなったという情報を受信する信号受信部と、前記第２の記録装置の記録できる容量がなくなったという情報を後段の記録装置に対して送信する信号送信部と、カメラからの映像を記録媒体に蓄積する録画管理部と、異常を検出したときに発生するアラーム信号および設定した時間になっているときに発生するタイマー信号の少なくとも一方が発生した場合、カメラからの映像を記録媒体に記録する許可をする記録許可状態、または記録を禁止する記録禁止状態にするかを制御する録画状態制御部とを備え、
前記録画状態制御部は、前記信号送信部が前記第２の記録装置の記録できる容量がなくなったという情報を後段の記録装置に送信すると、録画禁止解除状態から録画禁止状態へ変更し、前記信号受信部が前記第１の記録装置の記録できる容量がなくなったという情報を受信すると、録画禁止状態から録画禁止解除状態へ変更することを特徴とする記録システム。
【請求項２】
第１の記録装置および前記第１の記録装置の後段に接続された第２の記録装置を含む複数の記録装置を使用して記録する記録方法において、
前記第２の記録装置が、前記第１の記録装置の記録できる容量がなくなったという情報を受信する情報受信手順と、前記第２の記録装置の記録できる容量がなくなったという情報を後段の記録装置に対して送信する情報送信手順と、カメラから映像を記録媒体に蓄積する録画管理手順と、異常を検出したときに発生するアラーム信号および設定した時間になったときに発生するタイマー信号の少なくとも一方が発生した場合、カメラからの映像を記録媒体に記録する許可をする記録許可状態、または記録を禁止する記録禁止状態にするかを制御する録画状態制御手順とを備え、
前記録画状態制御手順は、前記信号送信部が前記第２の記録装置の記録できる容量がなくなったという情報を後段の記録装置に送信すると、録画禁止解除状態から録画禁止状態へ変更し、前記信号受信部が前記第１の記録装置の記録できる容量がなくなったという情報を受信すると、録画禁止状態から録画禁止解除状態へ変更することを特徴とする記録方法。
【発明の詳細な説明】
【０００１】
【発明の属する技術分野】
本発明は、店舗や道路、工場の監視映像を複数台の記録再生装置を使用して連続的に録画・蓄積するシリーズ録画システムで用いられる記録システム及び記録方法に関するものである。
【０００２】
【従来の技術】
シリーズ録画システムは、１台目の記録再生装置が映像を録画し、その録画するための記録媒体の残り容量が無くなると、自動的に次に接続してある記録再生装置が録画を行うように、複数台の記録再生装置を使用して連続的に録画するようになっている。
【０００３】
シリーズ録画システムの各記録再生装置は、アラーム発生装置が接続され、または、内部タイマーを備え、アラームや、内部タイマーイベントが発生した場合にそのイベントを認識しそのイベントに従い動作を開始する。
【０００４】
【発明が解決しようとする課題】
しかしながら、従来のシリーズ録画システムでは、各記録再生装置は、イベントが発生した場合、シリーズ録画機能よりも優先的にそのイベントに従い動作を行うため、本来シリーズ録画で録画すべき記録再生装置以外も、録画を開始してしまうことになり、記録媒体のメモリを無駄に消費してしまう問題があった。
【０００５】
本発明は、かかる点に鑑みてなされたものであり、本来シリーズ録画で録画すべき記録再生装置以外の記録再生装置の録画開始を防ぐことができる記録システム及び記録方法を提供することを目的とする。
【０００６】
【課題を解決するための手段】
本発明の記録システムは、第１の記録装置および前記第１の記録装置の後段に接続された第２の記録装置を含む複数の記録装置を有する記録システムにおいて、前記第２の記録装置は、前記第１の記録装置の記録できる容量がなくなったという情報を受信する信号受信部と、前記第２の記録装置の記録できる容量がなくなったという情報を後段の記録装置に対して送信する信号送信部と、カメラからの映像を記録媒体に蓄積する録画管理部と、異常を検出したときに発生するアラーム信号および設定した時間になっているときに発生するタイマー信号の少なくとも一方が発生した場合、カメラからの映像を記録媒体に記録する許可をする記録許可状態、または記録を禁止する記録禁止状態にするかを制御する録画状態制御部とを備え、前記録画状態制御部は、前記信号送信部が前記第２の記録装置の記録できる容量がなくなったという情報を後段の記録装置に送信すると、録画禁止解除状態から録画禁止状態へ変更し、前記信号受信部が前記第１の記録装置の記録できる容量がなくなったという情報を受信すると、録画禁止状態から録画禁止解除状態へ変更する構成を採る。
【０００７】
この構成によれば、自装置がシリーズ録画禁止状態であるときには、アラームや内部タイマーイベントが発生しても、録画動作をせず、録画禁止状態が維持される。そして、前段の記録再生装置からシリーズ録画信号が入力してきたとき、シリーズ録画禁止状態を解除しアラームや内部タイマーイベントに対して録画動作が行われる。したがって、シリーズ録画を優先した録画動作が行えるので、シリーズ録画システムで用いるのに好適な記録再生装置が提供できる。また、無駄な録画動作をしないので、記録媒体のメモリを無駄に消費してしまうことがなくなる。
【０００８】
本発明の記録方法は、第１の記録装置および前記第１の記録装置の後段に接続された第２の記録装置を含む複数の記録装置を使用して記録する記録方法において、前記第２の記録装置が、前記第１の記録装置の記録できる容量がなくなったという情報を受信する情報受信手順と、前記第２の記録装置の記録できる容量がなくなったという情報を後段の記録装置に対して送信する情報送信手順と、カメラから映像を記録媒体に蓄積する録画管理手順と、異常を検出したときに発生するアラーム信号および設定した時間になったときに発生するタイマー信号の少なくとも一方が発生した場合、カメラからの映像を記録媒体に記録する許可をする記録許可状態、または記録を禁止する記録禁止状態にするかを制御する録画状態制御手順とを備え、前記録画状態制御手順は、前記信号送信部が前記第２の記録装置の記録できる容量がなくなったという情報を後段の記録装置に送信すると、録画禁止解除状態から録画禁止状態へ変更し、前記信号受信部が前記第１の記録装置の記録できる容量がなくなったという情報を受信すると、録画禁止状態から録画禁止解除状態へ変更するようにした。
【０００９】
この方法によれば、アラーム発生装置でアラームが発生し、内部タイマーのイベントが発生した場合、シリーズ録画を優先し、その後各々のイベントに従い動作を行うように制御できる。したがって、本来シリーズ録画で録画すべき記録再生装置以外の記録再生装置が録画を開始してしまうことを防ぐことができ、記録媒体のメモリを無駄に消費しないようにすることができる。
【００１０】
【発明の実施の形態】
本発明の骨子は、シリーズ録画を行う場合に、本来録画すべき記録再生装置以外の記録再生装置が録画を開始してしまうことを防ぎ、記録媒体のメモリ容量を無駄に消費しないようにすることである。
【００１１】
以下、本発明の実施の形態について、図１〜図３を用いて詳細に説明する。
【００１２】
図１は、本発明の一実施の形態に係る記録再生装置の構成を示すブロック図である。図１において、記録再生装置１０１は、シリーズ録画システムを構成する記録再生装置であって、カメラ１０２と、アラーム発生装置１０３と、シリーズ録画入出力信号線１１２ａ，１１２ｂとが接続されている。
【００１３】
記録再生装置１０１は、カメラ１０２が撮像した映像を受信する録画映像受信部１０４と、アラーム発生装置１０３が発生したアラームを受信するアラーム受信部１０５と、前段の記録再生装置からシリーズ録画入出力信号線１１２ａを介して入力するシリーズ信号を受信するシリーズ信号受信部１０６と、後段の記録再生装置に対してシリーズ録画入出力信号線１１２ｂを介してシリーズ信号を出力するシリーズ信号送信部１０７と、内部タイマーを検出する内部タイマー検出部１０８とを備えている。
【００１４】
また、記録再生装置１０１は、アラーム受信部１０５とシリーズ信号受信部１０６と内部タイマー検出部１０８との各出力信号を受けて、シリーズ信号送信部１０７へシリーズ信号を送ること、録画管理部１１０を制御すること、その他各種の制御を行うシリーズ録画状態制御部１０９と、記録媒体１１１と、シリーズ録画状態制御部１０９の制御下に録画映像受信部１０４からの映像を符号化し、記録媒体１１１に蓄積する録画管理部１１０とを備えている。
【００１５】
この記録再生装置１０１では、シリーズ録画システムの構成装置として、録画禁止中であるか、または、録画する状態であるかは、ユーザが、シリーズ録画機能を使用するという設定を行ったタイミングによって定められる。ユーザが設定するシリーズ録画機能を使用するという情報は、シリーズ信号受信部１０６を通じてシリーズ録画状態制御部１０９へ知らされる。
【００１６】
シリーズ録画状態制御部１０９は、ユーザが設定するシリーズ録画機能を使用するという情報を受け取った時に、装置状態をシリーズ録画禁止状態にする。このとき、アラーム受信部１０５がアラーム発生装置１０３からのアラーム発生信号を検出した場合や、内部タイマー検出部１０８が内部タイマーを検出し、それをシリーズ録画状態制御部１０９に伝達した場合には、シリーズ録画状態制御部１０９は、装置状態が録画禁止状態であるために、録画管理部１１０へ録画開始の情報を伝えない。
【００１７】
録画禁止中の状態を解除する手順には２つある。１つは、シリーズ録画状態制御部１０９が録画禁止状態に、ユーザが手動でシリーズ録画禁止状態解除イベントを行うことにより、シリーズ録画状態制御部１０９がそれを検知してシリーズ録画禁止状態を解除する。他の１つは、シリーズ信号受信部１０６が、シリーズ録画入出力信号線１１２ａからきた電気信号を検知し、その情報がシリーズ録画状態制御部１０９へ伝えられることにより、シリーズ録画状態制御部１０９がシリーズ録画禁止状態を解除し、録画許可状態になる。
【００１８】
シリーズ録画禁止状態解除後に、アラーム受信部１０５がアラーム発生装置１０３からの電気信号を検出した場合や、内部タイマー検出部１０８が内部タイマーを検出し、シリーズ録画状態制御部１０９に情報を伝達した場合には、シリーズ録画状態制御部１０９は、シリーズ録画禁止状態が解除していることを判断し、録画管理部１１０へ録画をするように情報を伝える。録画管理部１１０は記録媒体１１１へ録画映像受信部１０４からの映像を符号化し、蓄積する。
【００１９】
記録媒体１１１の残り容量が少なく、録画映像受信部１０４の映像を録画することができなくなった時には、録画管理部１１０はその情報を検知し、シリーズ録画状態制御部１０９へ知らせる。シリーズ録画状態制御部１０９は、シリーズ信号送信部１０７へ記録媒体１１１の残り容量が無くなったことを伝え、シリーズ信号送信部１０７は、シリーズ入出力信号線１１２ｂを使用して後段の記録再生装置に対しシリーズ録画信号を発する。同時にシリーズ録画状態制御部１０９は再度シリーズ録画禁止解除状態からシリーズ録画禁止状態へ変更する。
【００２０】
このような構成としたことにより、複数台の記録再生装置を使用して連続的に録画するシリーズ録画システムでは、アラーム発生装置からのイベント、または内部タイマーイベントに対しても常に複数台の記録再生装置のうち１台の記録再生装置のみが録画を行うことになり、その録画している記録再生装置の空き領域が無くなると同時に録画を終了し、自動的に次に接続している記録再生装置のみがアラーム録画または内部タイマー録画を行うようになる。
【００２１】
次に、本実施の形態の動作について図２を参照して説明する。図２は、シリーズ録画システムを構成する記録再生装置の動作を示すフロー図である。
【００２２】
図２において、シリーズ録画システムを構成する記録再生装置は、まず、ステップ（以下「ＳＴ」と記す）２００にて、シリーズ録画機能を使用する設定であるか否かを判断する。もし、シリーズ録画機能を使用する設定ならば、シリーズ録画禁止状態となる（ＳＴ２０１）。一方、シリーズ録画機能を使用する設定でない場合は、通常運用とみなし（ＳＴ２０２）、ＳＴ２００に戻る。
【００２３】
シリーズ録画禁止状態の場合は、ユーザの手動操作によるシリーズ録画禁止状態解除イベントが入力されたか、または、シリーズ録画制御信号が入力されたかどうかを判断する（ＳＴ２０３）。もし、シリーズ録画制御信号が入力された場合には、シリーズ録画禁止状態を解除し、アラームまたは内部タイマーイベントを待つ（ＳＴ２０４）。アラームまたは内部タイマーイベントが入力された場合には、即座にユーザが設定したアラーム録画設定に従って、または、内部タイマー録画設定に従って、録画を行う（ＳＴ２０５）。
【００２４】
録画を行い、記録再生装置の残り容量が無くなった場合には（ＳＴ２０６）、シリーズ録画出力信号を出力し（ＳＴ２０７）、シリーズ録画禁止状態に戻る。
【００２５】
図３は、シリーズ録画システムの全体構成図である。図３に示すように、シリーズ録画システム、複数台の記録再生装置３０３、３０３ａ〜３０３ｎによって構成され、シリーズ録画機能を使用して、アラーム録画、または、内部タイマー録画機能が実施される。
【００２６】
複数台の記録再生装置３０３、３０３ａ〜３０３ｎは、カメラ３０１とアラーム発生装置３０２がそれぞれ接続されている。記録再生装置３０３の背面端子にあるシリーズ録画出力と記録再生装置３０３ａの背面端子にあるシリーズ録画入力とがシリーズ録画入出力信号線３０４で接続されている。記録再生装置３０３ａのシリーズ録画出力と記録再生装置３０３ｎのシリーズ録画入力とがシリーズ録画入出力信号線３０４ａ接続されている。最後に記録再生装置３０３ｎと記録再生装置３０３とがシリーズ録画入出力信号線３０４ｎで接続されている。
【００２７】
このシリーズ録画システムでは、まず、ユーザが手動によりシリーズ録画開始操作を記録再生装置３０３のみに対して行い、シリーズ録画禁止状態を解除する。その後、記録再生装置３０３がアラーム発生装置３０２からのアラーム信号を検出した場合、または、内部タイマー開始イベントが発生した場合に、カメラ３０１の映像が記録再生装置３０３により符号化され、蓄積される。このとき、接続している他の記録再生装置３０３ａ〜３０３ｎにも、同時にアラーム信号が検出されたり、記録再生装置３０３ａ〜３０３ｎ内の設定により内部タイマー開始イベントが発生するが、記録再生装置３０３ａ〜３０３ｎは、そのイベントに従わず録画を行わない。
【００２８】
記録再生装置３０３の記録媒体の容量が無くなると、記録再生装置３０３は電気信号を出力する。その電気信号は、シリーズ入出力信号線３０４を使用して、記録再生装置３０３ａへ入力される。その信号を受けて、記録再生装置３０３ａは、アラームや、内部タイマー開始イベントに従い、監視カメラの映像を符号化し、蓄積する。
【００２９】
【発明の効果】
以上説明したように、本発明によれば、アラームや、内部タイマーイベントが発生した場合、シリーズ録画を優先し、その後各々のイベントに従い動作することにより、本来シリーズ録画で録画すべき記録再生装置以外の記録再生装置の録画開始を防ぐことができる。
【図面の簡単な説明】
【図１】本発明の一実施の形態に係る記録再生装置の構成を示すブロック図
【図２】本発明の一実施の形態に係る記録再生装置の動作を説明するためのフロー図
【図３】本発明の一実施の形態に係る記録再生装置を用いて構成されるシリーズ録画システムの全体構成図
【符号の説明】
１０１  記録再生装置
１０２  カメラ
１０３  アラーム発生装置
１０４  録画映像受信部
１０５  アラーム受信部
１０６  シリーズ信号受信部
１０７  シリーズ信号送信部
１０８  内部タイマー検出部
１０９  シリーズ録画状態制御部
１１０  録画管理部
１１１  記録媒体
１１２ａ，１１２ｂ  シリーズ録画入出力信号線
３０１  カメラ
３０２  アラーム発生装置
３０３、３０３ａ、３０３ｎ  記録再生装置
３０４、３０４ａ、３０４ｎ  シリーズ録画入出力信号線
【図１】
0004418128.tif 000002
【図２】
0004418128.tif 000003
【図３】
0004418128.tif 000004